(57)【要約】【課題】機構が簡単で部品数が少なく、保守・保全・操作が簡単なミシン付設カッタの提供と、既使用ミシンにカッタを簡単に付設できるようにする。【解決手段】針棒Ｐｂの上下動をリンク１５を介してレバー１６に伝え、レバー１６の作用点に中間ロッド２０を連結し、中間ロッド２０の出力端に上下動ロッド２３を連結し、この上下動ロッド２３の出力端に揺動刃２６を連結し、中間ロッド２０の背面に形成した軌道に固定刃３３を取り付けた摺動ロッドを装入し、摺動ロッドに取り付けた支持片３２の支点を軸に揺動可能に操作レバー１２を取り付け、その下端に操作摘み１３と、上部に中間ロッド２０と上下動ロッド２３との連結を係脱する手段とを設け、揺動刃２６と固定刃３３とをピンＰで連結し、板バネで上下動ロッド２３の下端を摺動ロッド３１側に付勢し、支持盤Ｃに操作レバー支持部材１１を取り付けてなり、操作レバー１２の操作によりカッタ部分がミシンヘッド内に収納または引出し可能になる。【選択図】図１
2006102289.tif 000002
【特許請求の範囲】
【請求項１】
針棒の上下動をレバーに伝えるリンクと、上記リンクによって伝えられた上下動を受け支持盤に形成した支点を軸に揺動可能のレバーと、上記レバーの作用点に連結した中間ロッドと、この中間ロッドの出力端に係脱可能に連結した上下動ロッドと、この上下動ロッドの出力端に力点を連結した揺動刃と、上記中間ロッドの背面に形成した軌道に装入され上下に摺動可能で下端に固定刃を取り付けた摺動ロッドと、この摺動ロッドの上記固定刃を取り付けた上部に支持片を取り付け、この支持片に形成した支点を軸に揺動可能に取り付けられ、下端に操作摘みと、上部に中間ロッドと上下動ロッドとの連結を係脱する手段とを設けた操作レバーと、上記揺動刃と固定刃とを、その支点で連結し、上記支持片に取り付けられて上記上下動ロッドの下端を上記摺動ロッド側に付勢する板バネと、上記操作レバーを受け入れる操作レバー支持部材を支持盤に取り付けてなるカッタ機構であって、上記操作レバーを操作することにより操作レバーと共に上下動ロッドおよび摺動ロッドをミシンヘッド内に収納または引出し可能にしたミシン付設カッタ。
【請求項２】
中間ロッドと上下動ロッドとの連結を係脱する手段は、支持片上部のビスに嵌められたトーションスプリングによって操作レバーが摺動ロッド側に付勢し、操作レバーの上部ビスに嵌められたトーションスプリングにより上下動ロッドの上端を中間ロッド側に付勢し、上記両トーションスプリングの付勢に抗して操作レバーの下端摘みを摘むと中間ロッドと上下動ロッドとの連結状態が解かれ、離すと連結状態になる請求項１に記載のミシン付設カッタ。
【請求項３】
上記カッタ機構を支持する支持盤は、ミシンのフレームヘッド上部奥からワークサイドに亘って逆Ｌ字状をしており、該支持盤の上部先端を９０度曲折して押え棒支持フレームの上面奥にネジ止めされ、下部末端を９０度曲折して上記押え棒支持フレームの下端で針棒ブラケット部分にネジとめしてなる請求項１または２に記載のミシン付設カッタ。
【発明の詳細な説明】
【技術分野】
【０００１】
この発明は、ミシンに付設のカッタであって、機構、取り扱いが極めて簡単で、ミシンに簡単にカッタを付設することができる技術に関する。
【背景技術】
【０００２】
ミシンに付設のカッタに関する先行技術として次のものがある。
【０００３】
【特許文献１】特開２００２−０１８１７０号公報（要約および図面）
【０００４】
【特許文献２】特開２００２−１２６３８６号公報（要約および図面）
【０００５】
【特許文献３】特開２００３−１２６５７９号公報（要約および図面）
【発明の開示】
【発明が解決しようとする課題】
【０００６】
上記特許文献に係る先行技術は、ミシン本体の回転軸から運動変換機構を経て、上下運動に変換し、変換された運動によりクラッチを介してメス（カッタ）駆動部を動かすようにしたもので、メス（カッタ）を使用しないときは、クラッチ部分でメス（カッタ）駆動部を跳ね上げる構造となっており、使用時はメス（カッタ）駆動部を垂直にし、かつ、位置決め突起を（針板に設けた）位置決め凹部に嵌め込む構造となっていた。
【０００７】
また、上記構造であるため、機構が複雑で部品数も多く、保守・保全も難しく、取り扱い操作も複雑で、ミシンにカッタを付設することは実質的に不可能なものであった。
【０００８】
上記従来技術の問題に鑑みこの発明は、機構が簡単で部品数が少なく、保守・保全が容易で取り扱い操作が極めて簡単で、ミシンにカッタを簡単に付設することができるミシン付設カッタを提供することを課題とする。
【課題を解決するための手段】
【０００９】
上記課題を解決するためにこの発明は、針棒の上下動をレバーに伝えるリンクと、上記リンクによって伝えられた上下動を受け支持盤に形成した支点を軸に揺動可能のレバーと、上記レバーの作用点に連結した中間ロッドと、この中間ロッドの出力端に係脱可能に連結した上下動ロッドと、この上下動ロッドの出力端に力点を連結した揺動刃と、上記中間ロッドの背面に形成した軌道に装入され上下に摺動可能で下端に固定刃を取り付けた摺動ロッドと、この摺動ロッドの上記固定刃を取り付けた上部に支持片を取り付け、この支持片に形成した支点を軸に揺動可能に取り付けられ、下端に操作摘みと、上部に中間ロッドと上下動ロッドとの連結を係脱する手段とを設けた操作レバーと、上記揺動刃と固定刃とを、その支点で連結し、上記支持片に取り付けられて上記上下動ロッドの下端を上記摺動ロッド側に付勢する板バネと、上記操作レバーを受け入れる操作レバー支持部材を支持盤に取り付けてなるカッタ機構であって、上記操作レバーを操作することにより操作レバーと共に上下動ロッドおよび摺動ロッドをミシンヘッド内に収納または引出し可能にしたもの（請求項１）で、中間ロッドと上下動ロッドとの連結を係脱する手段は、支持片上部のビスに嵌められたトーションスプリングによって操作レバーが摺動ロッド側に付勢し、操作レバーの上部ビスに嵌められたトーションスプリングにより上下動ロッドの上端を中間ロッド側に付勢し、上記両トーションスプリングの付勢に抗して操作レバーの下端摘みを摘むと中間ロッドと上下動ロッドとの連結状態が解かれ、離すと連結状態になる（請求項２）もので、上記カッタ機構を支持する支持盤は、ミシンのフレームヘッド上部奥からワークサイドに亘って逆Ｌ字状をしており、該支持盤の上部先端を９０度曲折して押え棒支持フレームの上面奥にネジ止めされ、下部末端を９０度曲折して上記押え棒支持フレームの下端で針棒ブラケット部分にネジとめしてなる（請求項３）構成としたものである。
【発明の効果】
【００１０】
上記の如く構成するこの発明によれば、機構が簡単で部品数が少なく、保守・保全が容易で取り扱い操作が極めて簡単で、ミシンにカッタを簡単に取り付けることができる。
【発明を実施するための最良の形態】
【００１１】
次にこの発明の実施の形態を、図面を参照しながら説明する。図１に示すように、ミシンＭのフレームヘッドＦには、押え棒支持フレームＡ、この押え棒支持フレームＡから延びるブラケット(図省略）により支承された針棒支持部材Ｂおよびカッタ機構１０の支持盤Ｃがそれぞれ取り付けられ、押え棒支持フレームＡには押え棒Ｐａが、針棒支持部材Ｂには針棒Ｐｂが上下摺動可能に嵌められている。
【００１２】
図１乃至図５に示すように、カッタ機構１０の支持盤Ｃには操作レバー１２の支持部材１１が、その９０度折り曲げ部１１ａでビス止めされ、この支持部材１１には、操作レバー１２が装填され、この操作レバー１２の下端には操作摘み１３が装着される。
【００１３】
一方、針棒Ｐｂには、その中間に連結点１４が形成され、この連結点１４にビスを介して連結リンク１５の下端が連結され、この連結リンク１５の上端はレバー１６の力点にピン１７を介して連結され、レバー１６の他端は支持盤Ｃに植設されたピン１８に揺動自在に嵌められ、そのレバー１６中間に穿設された長孔１９には、中間ロッド２０の上端に植設した受動ピン２１が嵌り合っている。なお、ここで図７に示すように、中間ロッド２０に円弧状長孔１９ｘを穿設し、レバー１６の作用点にピン２１ｘを植設しても良い。
【００１４】
上記中間ロッド２０の下端に植設した連結ピン２２は、上下動ロッド２３の上端９０度折り曲げ部分２３ａに穿設した長孔２４に嵌り合い、上下動ロッド２３の下端９０度折り曲げ部分２３ｂには短いピン２５が埋め込まれ、このピン２５は揺動刃２６の力点孔２７に嵌っている。なお、中間ロッド２０の連結ピンに代えて長孔を穿設し、上下動ロッド２３の上端の長孔に代えて連結ピン２２を設けることもできる。
【００１５】
上記のように連結した上下動ロッド２３は操作レバー１２の懐内に納まり、かつ、支持盤Ｃの下方に植設したノックピン４５によって脱落を防止し、中間ロッド２０は支持盤Ｃ上に形成された軌道２８に納まり上下に摺動可能になっている。
【００１６】
上記中間ロッド２０の上端背面には小片２９が固着されて摺動ロッド用の軌道３０が形成され、この軌道３０に摺動ロッド３１の上側狭幅部３１ａが嵌って上下摺動可能となり、その摺動ロッド３１の下方上側に支持片３２の下側９０度折り曲げ部３２ｂがネジ止めされる。
【００１７】
上記摺動ロッド３１の下側には固定刃本体３３がビス止めされ、この支点と上記揺動刃２６の支点Ｐとが揺動可能に鋲止めされ、上記固定刃本体３３の前端に固定摘み３４が装着される。また、上記支持片３２の上側９０度折り曲げ部３２ａには板バネ４４がネジ止めされて上下動ロッド２３の下側９０度折り曲げ部２３ｂを摺動ロッド３１側に付勢してカッタの刃合わせを良好にしている。なお、上記板バネ４４は、付勢力を調整するため複数にすることができる。
【００１８】
上記摺動ロッド３１の下端固定刃の上側に取り付けられた支持片３２は、操作レバー１２の懐内に入り、支持片３２の鋲孔と操作レバー１２の鋲孔を一致させて、操作レバー１２を揺動可能にして鋲３６を打ち込み、支持片３２上部のビス３７にトーションスプリング３８を嵌め、その作用端を操作レバー１２の中間の有頭ピン３９に当接して操作レバー１２上部を中間ロッド２０の連結ピン２２に向けて付勢し、さらに操作レバー１２の中間の有頭ピン３９にトーションスプリング４０を嵌め、その作用端を上下動ロッドの上端曲折部２３ｃに当接させて同様に付勢している。
【００１９】
操作レバー１２の上部には、固定ピン４１が植設され、この固定ピン４１は、操作レバー１２の支持部材１１の上下端縁に刻設したノッチ４２ａ，４２ｂに嵌るようになっている。なお、上記ノッチは、上側４２ａが浅く、下側４２ｂを深くしている。
【００２０】
支持片３２を介して操作レバー１２と一体になった摺動ロッド３１は、中間ロッド２０の背面に形成された軌道３０に沿って上下に摺動し、操作摘み１３と固定摘み３４をトーションスプリング３８，４０の付勢に抗して摘むと、鋲３６を支点にして操作レバー１２の上側が開き、固定ピン４１がノッチ４２ｂから外れると共に、操作レバー１２の上端に形成した掛け金４３が上下動ロッド２３の曲折部２３ｃを持ち上げて中間ロッド２０の連結ピン２２と上下動ロッド２３の長孔２４との嵌め合いが外れて固定刃を取り付けた摺動ロッド３１と揺動刃を取り付けた上下動ロッド２３は操作レバー１２と共に上に摺動可能となりミシンヘッドに収納される。
【００２１】
この状態で操作摘み１３および固定摘み３４を離すと、固定ピン４１は上側のノッチ４２ａに嵌り収納状態が維持される。
【００２２】
上記操作とは逆に、操作摘み１３および固定摘み３４を摘み、固定ピン４１をノッチ４２ａから外しその状態で引き下げると、操作レバー１２と共に摺動ロッド３１および上下動ロッドが下がり連結ピン２２と長孔２４が嵌り合い、さらに凸起３３ｂが針板Ｊの孔Ｊａに嵌ってカッタが作動状態になる。
【００２３】
なお、中間ロッド２０と上下動ロッド２３との連結の係脱構造を図７に示すように上下動ロッド２３にトーションスプリングＳにより付勢された短いアームＲを設け、このアームＲの揺動端に形成したラッチＴとノックピンＵとの係合により係脱可能にすることができる。
【００２４】
また、操作レバー１２の固定ピン４１と操作レバー支持部材のノッチ４２ａ，４２ｂとの係脱関係を図８に示すように操作レバー１２に逆コ字状の長孔Ｖを設け支持部材１１側に固定ピンＷを植設する構造とすることもできる。
【００２５】
図５はカッタの動作を説明するもので、針棒Ｐｂが上昇すると図５（ａ）のようにリンク１５が上昇、レバー１６はピン１８を軸にして上方に揺動、長孔１９に嵌った受動ピン２１が持ち上げられ、中間ロッド２０が上昇、上下動ロッド２３は、長孔２４と連結ピン２２とが嵌り合っているので上昇、上下動ロッド２３の下端はピン２５で揺動刃２６の力点が引き上げられピンＰを軸にして刃が開く。図５（ｂ）は針棒Ｐｂが下降する場合で、その動作は図５（ａ）の逆であるから説明を省略する。上記動作を繰り返されることにより縫製された布の縁が裁断される。また、長孔２４と連結ピン２２とのギャップは、針棒Ｐｂのストロークと揺動刃の力点のストロークとの差を吸収するためのものである。
【産業上の利用可能性】
【００２６】
以上説明したようにこの発明によれば、構造が簡単で部品数も少なくなってコスト低減が可能となり、操作も簡単で保守・保全が容易となり、既製のあるいは使用中のミシンにも簡単にカッタを付設出来るようになって産業上の利用価値は極めて高いものである。
【図面の簡単な説明】
【００２７】
【図１】本発明のミシン付設カッタの正面図
【図２】同部品分解図
【図３】図１の矢視図
【図４】同右側面図
【図５】動作説明図で（ａ）カッタが開いた状態、（ｂ）カッタが閉じた状態を示す。
【図６】ミシン全体の斜視図
【図７】中間ロッドと上下動ロッドの他の連結例説明図
【図８】操作レバー固定ピンと支持部材ノッチの他の嵌め合い例説明図
【符号の説明】
【００２８】
１０  カッタ機構
１１  支持部材（操作レバーの）
１２  操作レバー
１３  操作摘み
１４  連結点
１５  連結リンク
１６  レバー
１７  ピン（レバーの力点）
１８  ピン（レバーの支点）
１９  長孔
１９ｘ  円弧状長孔
２０  中間ロッド
２１  受動ピン
２１ｘ  ピン
２２  連結ピン
２３  上下動ロッド
２４  連結長孔
２５  短いピン
２６  揺動刃
２７  力点孔
２８  軌道（中間ロッドの）
２９  小片
３０  軌道（摺動ロッドの）
３１  摺動ロッド
３２  支持片
３３  固定刃本体
３３ａ  刃
３３ｂ  突起
３４  固定摘み
３６  鋲
３７  ビス（支持片上部の）
３８，４０  トーションスプリング
３９  有頭ピン
４１  固定ピン
４２ａ，４２ｂ  ノッチ
４３  掛け金
４４  板バネ
４５  ノックピン
Ａ  押え棒支持フレーム
Ｂ  針棒支持部材
Ｃ  支持盤
Ｄ  スプリング
Ｅ  こま
Ｆ  フレームヘッド
Ｇ  押え棒操作レバー
Ｈ  押え板
Ｉ  カラー
Ｊ  針板
Ｊａ  孔
Ｐ  ピン
Ｒ  短いアーム
Ｓ  トーションスプリング
Ｔ  ラッチ
Ｕ  ノックピン
Ｖ  長孔
Ｗ  固定ピン
【図１】
2006102289.tif 000003
【図２】
2006102289.tif 000004
【図３】
2006102289.tif 000005
【図４】
2006102289.tif 000006
【図５】
2006102289.tif 000007
【図６】
2006102289.tif 000008
【図７】
2006102289.tif 000009
【図８】
2006102289.tif 000010